(57)【要約】【課題】サーバ装置からダウンロードしたデータに電話番号に関する情報が含まれていた場合、電話の発着信に利用するデータを記憶する電話帳メモリにもその電話番号を反映させる。【解決手段】ダウンロードした地点情報に電話番号が含まれていたとき、制御部１０は地点情報に基づいて電話帳情報を生成し、生成した電話帳情報を電話帳メモリ１１０に記憶する。また、ナビゲーション装置２に接続している携帯端末４に対しても生成した電話帳情報を反映させられる。さらに、地点情報から生成した電話帳情報を容易に識別できる。【選択図】図２
2011228948.tif 000002
【特許請求の範囲】
【請求項１】
サーバ装置と、前記サーバ装置と通信可能なナビゲーション装置とを少なくとも含む電話帳システムであって、
前記サーバ装置は、
電話番号を少なくとも含むデータを前記ナビゲーション装置に送信するデータ送信手段を備え、
前記ナビゲーション装置は、
前記サーバ装置から送信される前記データを受信するデータ受信手段と、
前記データ受信手段により受信した前記データを記憶するデータ記憶手段と、
前記電話番号を含む電話帳情報を前記データに基づいて生成する情報生成手段と、
前記情報生成手段により生成された電話帳情報を記憶する電話帳記憶手段とを備えることを特徴とする電話帳システム。
【請求項２】
請求項１に記載の電話帳システムにおいて、
前記ナビゲーション装置と接続可能な携帯端末であり、前記ナビゲーション装置から送信される前記電話帳情報を受信して記憶する携帯端末を更に備えることを特徴とする電話帳システム。
【請求項３】
請求項１または２に記載の電話帳システムにおいて、
前記ナビゲーション装置は、
前記電話帳情報のうち、前記電話帳記憶手段により記憶されてから所定の期間が経過したものを削除する削除手段を更に備えること特徴とする電話帳システム。
【請求項４】
請求項１から３のいずれか一項に記載の電話帳システムにおいて、
前記データは道路地図上の地点に関する情報を含み、
前記ナビゲーション装置は、
前記電話帳記憶手段により記憶している電話帳情報の中からいずれか一つを選択する選択手段と、
前記選択手段により選択された電話帳情報に含まれる電話番号に基づいて電話を発信する電話手段と、
前記データ記憶手段により記憶された前記データのうち前記電話手段により発信した電話番号を含む電話帳情報に対応したデータに含まれる地点を目的地として設定する目的地設定手段と、
予め設定される出発地から前記目的地までの経路を探索する経路探索手段とを更に備えることを特徴とする電話帳システム。
【請求項５】
請求項１から４のいずれか一項に記載の電話帳システムにおいて、
前記ナビゲーション装置は、
前記電話帳記憶手段により記憶されている電話帳情報を表示する表示手段を更に備え、
前記電話帳情報記憶手段は、前記データに基づかずに生成された電話帳情報を更に記憶することを特徴とする電話帳システム。
【請求項６】
請求項５に記載の電話帳システムにおいて、
前記表示手段は、前記データに基づいた電話帳情報と前記データに基づかない電話帳情報とを異なる態様で表示することを特徴とする電話帳システム。
【請求項７】
請求項５または６に記載の電話帳システムにおいて、
前記表示手段は、前記電話帳情報記憶手段が記憶している電話帳情報のうち、前記データに基づいた電話帳情報だけを表示する、または、前記データに基づかない電話帳情報だけを表示することを特徴とする電話帳システム。
【請求項８】
請求項１から７のいずれか一項に記載の電話帳システムに用いられるナビゲーション装置。
【請求項９】
請求項１から７のいずれか一項に記載の電話帳システムに用いられるサーバ装置。
【発明の詳細な説明】
【技術分野】
【０００１】
本発明は、電話帳システムおよびナビゲーション装置に関する。
【背景技術】
【０００２】
従来、携帯電話などの電話機能を持つ携帯端末と接続して電話の発着信を行うナビゲーション装置が知られている。そのようなナビゲーション装置では、電話に利用する電話番号は専用の記憶領域（以降、電話帳メモリと記載する）に記憶されていた。
【０００３】
また従来、ユーザがサーバ装置に登録したデータをダウンロードし、利用することができるナビゲーション装置が知られている。サーバ装置には地点名称や地点座標などの地点情報と共に電話番号などを含む情報が登録されており、ナビゲーション装置はダウンロードした情報を電話帳メモリとは別の記憶領域（以降、登録地メモリと記載する）に記憶していた。
【０００４】
電話帳データのダウンロードに関しては、特許文献１などが知られている。特許文献１では、電話帳データがアップロードされているサーバから電話帳データを携帯端末にダウンロードする携帯端末と電話帳管理システムが記載されている。
【先行技術文献】
【特許文献】
【０００５】
【特許文献１】特開２００５−７９８４５号公報
【発明の概要】
【発明が解決しようとする課題】
【０００６】
前述した従来のナビゲーション装置とサーバ装置からなるシステムでは、サーバ装置に登録されている情報に電話番号が含まれていても、その電話番号を電話帳メモリに記憶しない。そのため、従来のナビゲーション装置では、ダウンロードした情報に基づいて電話をかけるとき、電話帳メモリに記憶されている電話番号から電話する場合とは異なる操作を行う必要があり、直感的に操作できなかった。このような問題は特許文献１などにおいても解決されていない。
【課題を解決するための手段】
【０００７】
本発明の電話帳システムは、サーバ装置と、サーバ装置と通信可能なナビゲーション装置とを少なくとも含む電話帳システムであって、サーバ装置は、電話番号を少なくとも含むデータをナビゲーション装置に送信するデータ送信手段を備え、ナビゲーション装置は、サーバ装置から送信されるデータを受信するデータ受信手段と、データ受信手段により受信したデータを記憶するデータ記憶手段と、電話番号を含む電話帳情報をデータに基づいて生成する情報生成手段と、情報生成手段により生成された電話帳情報を記憶する電話帳記憶手段とを備えることを特徴とする。
【発明の効果】
【０００８】
サーバ装置からダウンロードした情報の中に電話番号が含まれているとき、その電話番号を電話帳メモリにも反映させ、直感的な操作でその電話番号に電話を発信できる。
【図面の簡単な説明】
【０００９】
【図１】本発明の一実施形態である電話帳システムの構成の一例である。
【図２】本発明の一実施形態であるナビゲーション装置の構成の一例である。
【図３】本発明の一実施形態におけるサーバ装置からダウンロードするデータのフォーマットの一例である。
【図４】本発明の一実施形態におけるサーバ装置からダウンロードするデータのフォーマットの一例である。
【図５】本発明の一実施形態における電話帳メモリに記憶するデータのフォーマットの一例である。
【図６】本発明の一実施形態におけるナビゲーション装置において、電話を発信する電話番号を選択するための画面の一例である。
【図７】本発明の一実施形態におけるナビゲーション装置において、電話を発信する電話番号を選択するための画面の一例である。
【図８】本発明の一実施形態におけるナビゲーション装置において、電話を発信する電話番号を選択するための画面の一例である。
【図９】本発明の一実施形態におけるナビゲーション装置において、電話を発信する電話番号を選択するための画面の一例である。
【図１０】本発明の一実施形態において、サーバ装置からダウンロードするデータに含まれる電話番号を電話帳メモリに反映する処理の一例を示すフローチャートである。
【図１１】本発明の一実施形態において、サーバ装置からダウンロードするデータに含まれる電話番号を携帯端末に反映する処理の一例を示すフローチャートである。
【図１２】本発明の一実施形態において、電話帳メモリに記憶されている電話番号に発信したときに実行する処理の一例を示すフローチャートである。
【図１３】本発明の一実施形態において、サーバ装置からダウンロードするデータに含まれる電話番号に発信して通話が終わったあとに表示する画面の一例である。
【発明を実施するための形態】
【００１０】
本発明の一実施形態による電話帳システムの構成について、図１を用いて説明する。図１の電話帳システム１は、ナビゲーション装置２と、サーバ装置３、携帯端末４とからなる。ナビゲーション装置２は、通信回線網５を介してサーバ装置３と無線接続されている。通信回線網５は、たとえば携帯電話回線網やインターネットなどにより構築される。また、ナビゲーション装置２は、有線接続またはＢｌｕｅｔｏｏｔｈ（登録商標）などの無線通信方式を利用した無線接続などによって携帯端末４と接続されている。
【００１１】
サーバ装置３には、道路地図上の地点に関してユーザが自宅のパソコンなどから登録したデータを記憶した登録地データベース６が備わっている。以降、登録地データベース６に記憶されているデータを登録地データと記載する。
【００１２】
ナビゲーション装置２は、通信回線網５を介してサーバ装置３から登録地データをダウンロードすることができる。登録地データには、登録地に関する地点名称、地点座標の緯度および経度、電話番号など様々な情報が含まれている。
【００１３】
携帯端末４は、電話の発着信ができるものであって、電話番号を含む情報を記憶する電話帳メモリ７を備えるものである。たとえば携帯電話などである。ナビゲーション装置２と携帯端末４とは、電話番号を含むデータを互いに送受信することができる。また、ナビゲーション装置２は、携帯端末４を介して電話を発着信することができる。以降、電話番号を含むデータを電話帳データと記載する。
【００１４】
次に、ナビゲーション装置２の構成について図２を用いて説明する。図２のナビゲーション装置２は、制御部１０、記憶部１１、表示モニタ１２、ジャイロセンサ１３、ＧＰＳ受信部１４、データ通信部１５、入力装置１６、およびスピーカ１７を備える。
【００１５】
制御部１０は、ナビゲーション装置２を動作させるための様々な処理や制御を実行するための部分であり、マイクロプロセッサ、各種周辺回路、ＲＡＭ、ＲＯＭなどによって構成される。制御部１０が実行する処理としては、携帯端末４を利用して電話を発着信するための処理や、所望の目的地までの推奨経路を探索する経路探索処理、推奨経路に従って車両を誘導する案内を行う経路案内処理などがある。後述する処理についても制御部１０で実行される。
【００１６】
記憶部１１は、不揮発性の記憶媒体であり、地図データを含む各種データが記憶されている。記憶部１１に記憶されているデータは、必要に応じて制御部１０の制御により記憶部１１から読み出され、制御部１０が実行する様々な処理や制御に利用される。また、記憶部１１にある地図データは、更新などのために変更することができる。
【００１７】
また、記憶部１１には、電話帳メモリ１１０と登録地メモリ１１１という二つの専用の記憶領域を有する。電話帳メモリ１１０は、前述した携帯端末４を利用して電話を発着信するための処理で利用する電話帳データを記憶するものである。また、登録地メモリ１１１は、サーバ装置３からダウンロードした登録地データを記憶する記憶領域である。電話帳メモリ１１０の電話帳データは、携帯端末４などとの無線通信やユーザの手動入力などの手段で取得し記憶されたものである。
【００１８】
制御部１０は、記憶部１１に記憶されている地図データや登録地データを利用して経路探索処理や経路誘導処理などを実行することができる。たとえば、地図データおよび登録地データに記憶されている地点を目的地に設定することにより車両の現在位置からの推奨経路を探索することができる。
【００１９】
表示モニタ１２は、様々な画像や映像などを表示するための装置であり、液晶ディスプレイ等が用いられる。制御部１０の制御に基づいて表示モニタ１２に地図や自車両の現在位置を表示することにより、ナビゲーション装置２は経路誘導処理を行う。また、ユーザがナビゲーション装置２の各種処理を利用するために用いるメニュー画面や電話帳を表示することもできる。
【００２０】
ジャイロセンサ１３は、自車両の向きの変化に応じた角速度を検出するためのセンサである。このジャイロセンサ１３により検出された角速度に基づいて、自車両の向きが求められる。ＧＰＳ受信部１４は、ＧＰＳ衛星から送信されるＧＰＳ信号を受信して制御部１０へ出力する。ＧＰＳ信号には、自車両の現在位置と現在時刻を求めるための情報として、そのＧＰＳ信号を送信したＧＰＳ衛星の位置と送信時刻が含まれている。したがって、制御部１０は、所定数以上のＧＰＳ衛星からＧＰＳ信号を受信することにより、これらの情報に基づいて自車両の現在位置と現在時刻を算出することができる。制御部１０は、ＧＰＳ信号に基づいて算出された自車両の現在位置の時間変化を特定し、その自車両の現在位置の時間変化に基づいて、自車両が走行した距離を算出することができる。なお、自車両が走行した距離は、自車両に搭載された車速センサ（図示せず）から出力される車速信号に基づいて自車両の走行距離を算出することもできる。
【００２１】
データ通信部１５は、制御部１０の制御に従い、ナビゲーション装置２とサーバ装置３との間の通信やナビゲーション装置２と携帯端末４との間の通信などを行うものである。データ通信部１５は、必要に応じて通信回線網５への無線接続や、携帯端末との無線通信を実行する。
【００２２】
入力装置１６は、ナビゲーション装置２を動作させるためにユーザから入力される各種操作を検出するための装置であり、各種の入力スイッチ類を有している。ユーザは、入力装置１６を操作することにより、たとえば、目的地に設定したい施設や地点の名称等を入力したり、予め登録された登録地の中から目的地を選択したり、電話の発信先を選択したり、表示モニタ１２に表示された地図を任意の方向にスクロールしたりすることができる。入力装置１６は、操作パネルやリモコンなどによって実現することができる。あるいは、入力装置１６を表示モニタ１２と一体化されたタッチパネルとしてもよい。
【００２３】
スピーカ１７は、制御部１０の制御により、自車両の走行に関する様々な音声情報を出力する。たとえば、推奨経路に従って自車両を目的地まで誘導するための音声案内や、各種の警告音などを出力する。
【００２４】
次に、サーバ装置３からダウンロードされ登録地メモリ１１１に記憶される登録地データについて図３を用いて説明する。図３のフォーマット表３０は登録地データのフォーマットの一例を示す。フォーマット表３０による登録地データには、フォーマットバージョンや、経度、緯度、地点名称、住所、音声認識用データ、電話番号、画像名称、アイコン番号、登録済み情報ビットなどを含む多くの情報が含まれている。
【００２５】
図３の項番１０の登録済み情報ビットは、登録地データに各種情報が記憶されているか否かを表すビットである。登録済み情報ビットに含まれるビットのフォーマットの一例を図４に示す。図４のフォーマット表４０による登録済み情報ビットでは、地点登録済みビット、音声認識用データ登録済みビット、電話番号登録済みビットなどが含まれる。
【００２６】
図４の項番１の地点登録済みビットは、その地点登録済みビットを含む登録地データに地点名称などの地点情報が登録済みか否かを表す。図４の項番２の音声認識用データ登録済みビットは、登録地データに音声認識用データが登録されているか否かを表す。図４の項番３の電話番号登録済みビットは、登録地データに電話番号が登録されているか否かを表す。
【００２７】
制御部１０は、図３のフォーマットの登録地データをサーバ装置３からダウンロードしたとき、登録地メモリ１１１に記憶する。そして、制御部１０は、登録地データに電話番号が登録されていたらその電話番号を電話帳メモリ１１０に反映させる。
【００２８】
登録地データに電話番号が登録されているか否かは、たとえば図４の項番３の電話番号登録済みビットに基づいて判定する。電話帳メモリ１１０への反映は、たとえば、図３のフォーマットの登録地データに基づいて図５に示すフォーマットの電話帳データを生成し、電話帳メモリ１１０に記憶させる。
【００２９】
図５のフォーマット表５０による電話帳データのフォーマットは、データ番号、名称情報、音声認識用データ、電話番号、転送日時、およびデータ提供元といった情報を表すデータが含まれる。
【００３０】
図５の項番１のデータ番号は、電話帳メモリ１１０内でデータを識別するための情報である。データ番号は、たとえば制御部１０が電話帳メモリ１１０に記憶されている他のデータと重複しないように決定する。
【００３１】
図５の項番２の名称情報は、登録地メモリ１１１に記憶した登録地データの地点名称（図３の項番４）をコピーしたものである。
【００３２】
図５の項番３の音声認識用データは、登録地メモリ１１１に記憶した登録地データの音声認識用データ（図３の項番６）をコピーしたものである。
【００３３】
図５の項番４の電話番号は、登録地メモリ１１１に記憶した登録地データの電話番号（図３の項番７）をコピーしたものである。
【００３４】
図５の項番５の転送日時は、電話帳メモリ１１０に登録する日時である。
【００３５】
図５の項番６のデータ提供元は、電話帳データの取得方法を識別するものである。これにより、たとえば、登録地データに基づいて生成されたものか、携帯端末４から取得したものかを識別できる。
【００３６】
以上のようにサーバ装置３からダウンロードした登録地データから電話帳データを生成し、電話帳メモリ１１０に記憶することにより、登録地データに含まれる電話番号に関しても電話帳メモリ１１０を利用して電話を発信することができる。なお、制御部１０は、登録地データから生成した電話帳データを携帯端末４に送信し、携帯端末４の電話帳メモリ７に記憶させてもよい。
【００３７】
次に電話帳メモリ１１０に記録した登録地データの電話番号に発信するときのナビゲーション装置２の操作について説明する。
【００３８】
図６は、ナビゲーション装置２の表示モニタ１２にメニュー画面を表示するときの画面の一例である。表示モニタ１２上の画面６１には、ボタン６２が複数個並んでいる。各ボタン６２は、ナビゲーション装置２の各操作を行うためのボタンであり、ユーザは入力装置１６を介して操作に対応したボタン６２を選択する。
【００３９】
図６の電話ボタン６２Ａは、電話帳メモリ１１０に記憶された電話帳データに基づいて電話を発信するためのボタンである。登録地データに含まれる電話番号について電話帳メモリ１１０に反映されていないと、ユーザが電話ボタン６２Ａを選択してもその電話番号に発信できない。その場合、たとえば登録地データを閲覧するためのボタンである登録地ボタン６２Ｂを選択するなどの操作が必要であり、このような操作は直感的ではない。本実施形態では、この問題を解消できる。
【００４０】
図７は、本実施形態において、ユーザに電話帳メモリ１１０に記憶されている電話帳データの中から発信先を選択させるために表示モニタ１２に表示する画面の一例である。ユーザが電話ボタン６２Ａを選択し、更に不図示の画面において電話帳を用いて電話を発信することを選択すると、図７の画面７１が表示モニタ１２に表示される。画面７１には、電話帳ボタン７２、ダウンロード登録地ボタン７３、発信先リスト７４が表示される。
【００４１】
発信先リスト７４には、電話帳メモリ１１０に記憶されている電話帳データの一覧を表示する。たとえば、図５の項番２の名称情報に基づいた名称を五十音の順番で表示する。ユーザは、入力装置１６を介して発信先リスト７４の中から発信先を選択することができる。ユーザが発信先を選択したらナビゲーション装置２は携帯端末４を介して選択された発信先に発信する。
【００４２】
発信先リスト７４に表示する電話帳データは、その表示態様をデータ提供元（図５の項番６）の情報に基づいて変更してもよい。たとえば、図７の「うううう」、「おおおお」が登録地に基づいて生成された電話帳データであった場合は、他のデータ「ああああ」等と異なる文字色で表示することが好ましい。
【００４３】
発信先リスト７４に表示する電話帳データは、データ提供元（図５の項番６）の情報に基づいて絞りこんだ表示を行ってもよい。電話帳ボタン７２とダウンロード登録地ボタン７３は、そのような絞込みを実行するためのボタンであり、ダウンロード登録地ボタン７３が選択されると、登録地データに基づいて生成された電話帳データが表示される。一方、電話帳ボタン７２が選択されると、登録地データに基づいて生成された電話帳データ以外のものが表示される。登録地データに基づいて生成された電話帳データ以外のものとは、たとえば携帯端末４から取得されたものや、ユーザが手入力したものなどである。
【００４４】
ダウンロード登録地ボタン７３が選択された場合に表示モニタ１２に表示される画面の一例を図８に示す。図８の画面８１では、図７の例において登録地に基づいて生成された電話帳データであった「うううう」および「おおおお」だけが表示されている。
【００４５】
電話帳ボタン７２が選択された場合に表示モニタ１２に表示される画面の一例を図９に示す。図９の画面９１では、図７の例において登録地に基づいて生成された電話帳データではない「ああああ」、「いいいい」、「ええええ」だけが表示されている。
【００４６】
次にナビゲーション装置２がサーバ装置３からダウンロードした登録地データを電話帳メモリ１１０および電話帳メモリ７に反映させる処理についてフローチャートを図１０に示す。図１０のフローチャートは、利用者が表示モニタ１２や入力装置１６を介してダウンロードしたい登録地データをサーバ装置３の登録地データベース６から選択したときに実行される。図１０では、ナビゲーション装置２が行う処理であるステップＳ２０１〜Ｓ２０５は、制御部１０の制御により実行される。ステップＳ２０６は、ナビゲーション装置２の制御部１０と携帯端末４とにより実行される。
【００４７】
図１０のステップＳ１０１では、サーバ装置３がダウンロードしたい登録地データをナビゲーション装置２へ送信する。図１０のステップＳ２０１では、ナビゲーション装置２の制御部１０はデータ通信部１５を介して、ステップＳ１０１で送信された登録地データを受信する。登録地データの送受信が終了したら、図１０におけるサーバ装置３の処理は終了し、ナビゲーション装置２の処理はステップＳ２０２に進む。
【００４８】
図１０のステップＳ２０２では、制御部１０は、ステップＳ２０１で受信した登録地データを登録地メモリ１１１に記憶し、ステップＳ２０３に進む。
【００４９】
図１０のステップＳ２０３では、制御部１０は、ステップＳ２０１で受信した登録地データの電話番号登録済みビット（図４の項番３）に基づいて、当該登録地データに電話番号の情報が含まれているか否かを判定する。電話番号の情報が含まれていると判定された場合は、ステップＳ２０４に進み、含まれていなかった場合は、図１０におけるナビゲーション装置２の処理を終了する。
【００５０】
図１０のステップＳ２０４では、制御部１０は、図３に示すような登録地データから図５に示すような電話帳データを生成する。電話帳データの生成が終了したらステップＳ２０５に進む。
【００５１】
図１０のステップＳ２０５では、制御部１０は、ステップＳ２０４で生成した電話帳データを電話帳メモリ１１０に記憶する。電話帳メモリ１１０への記憶が終了したらステップＳ２０６に進む。
【００５２】
ステップＳ２０６では、制御部１０は、図１１を用いて後述する処理により、ステップＳ２０４で生成した電話帳データを電話帳メモリ７に反映させる。図１１の処理が終了したら、図１０におけるナビゲーション装置２の処理を終了する。なお、電話帳メモリ７への反映を行わない場合は、ステップＳ２０６の処理は省略できる。
【００５３】
次に、図１０のステップＳ２０６において実行する処理について、図１１のフローチャートを用いて説明する。図１１では、ナビゲーション装置２が行う処理は、制御部１０の制御により実行される。
【００５４】
図１１のステップＳ２６１では、ナビゲーション装置２の制御部１０は、図１０のステップＳ２０４で生成した電話帳データを携帯端末４に送信する。図１１のステップＳ３６１では、携帯端末４は、図１１のステップＳ２６１で送信された電話帳データを受信する。電話帳データの送受信が終了したら、ナビゲーション装置２は図１１における処理を終了し、携帯端末４は図１１のステップＳ３６２に進む。なお、ナビゲーション装置２と携帯端末４との接続にＢｌｕｅｔｏｏｔｈを利用する場合は、たとえば携帯端末４とＯＰＰ（Object Push Profile）接続を確立してから電話帳データの送受信を行うことができる。
【００５５】
図１１のステップＳ３６２では、携帯端末４は、ステップＳ３６１で受信した電話帳データを電話帳メモリ７に記憶する。電話帳メモリ７に電話帳データを記憶したら、携帯端末４は、図１１における処理を終了する。
【００５６】
次に電話帳メモリ１１０に記憶された電話帳データの利用の一例として、電話帳メモリ１１０に記憶された電話帳データを用いて電話するときに実行される処理について図１２のフローチャートを用いて説明する。図１２の処理は、制御部１０で実行される。
【００５７】
図１２のステップＳ４０１では、制御部１０は、図６〜図９に示したような画面を表示モニタ１２に表示し、ユーザが入力装置１６を介して電話の発信先を選択することを受け付ける。ユーザが発信先を選択したらステップＳ４０２に進む。
【００５８】
ステップＳ４０２では、制御部１０は、ステップＳ４０１でユーザにより選択された発信先について、電話帳データに基づいて電話番号を特定する。電話番号が特定されたらステップＳ４０３に進む。
【００５９】
ステップＳ４０３では、制御部１０は、ステップＳ４０２で特定された電話番号に基づいてナビゲーション装置２の電話機能を利用し、電話を発信する。そして、通話が終了したらステップＳ４０４に進む。
【００６０】
ステップＳ４０４では、制御部１０は、ステップＳ４０２で特定された電話番号が図９のステップＳ２０４で登録地データから生成されたものか否かを判定する。登録地データから生成されたものである場合はステップＳ４０５に進み、そうでない場合は図１２の処理を終了する。
【００６１】
ステップＳ４０５では、制御部１０は、図１３に示すような画面１３１を表示モニタ１２に表示し、ステップＳ４０３で通話した発信先を目的地に設定するか否かをユーザに選択させる。ユーザが目的地に設定することを選択した場合は、ステップＳ４０６に進み、そうでない場合は図１２の処理を終了する。
【００６２】
ステップＳ４０６では、制御部１０は、電話帳データを生成した元の登録地データに基づいて発信先の地点座標等を特定し、その地点座標等を目的地として設定する。目的地の設定が終了したらステップＳ４０７に進む。電話帳データを生成した元の登録地データは、電話番号や地点名称、電話番号登録済みビットなどを検索キーとして検索すればよい。
【００６３】
ステップＳ４０７では、制御部１０は、公知の経路探索処理を実行してステップＳ４０６で設定した目的地までの推奨経路を探索する。探索する推奨経路の始点は、ナビゲーション装置２が搭載されている車両の現在位置としてもよいし、任意の地点をユーザに設定させてもよい。経路探索処理が終了したら図１２の処理を終了する。
【００６４】
以上で説明した実施形態によれば、次の作用効果を奏する。
【００６５】
（１）本実施形態の電話帳システムは、サーバ装置３が通信回線網５を介してナビゲーション装置２へ登録地データを送信し（図１０のステップＳ１０１）、ナビゲーション装置２が通信回線網５とデータ通信部１５を介して送信された登録地データを受信する（図１０のステップＳ２０１）。送受信する登録地データは、そのフォーマット中に電話番号を含んでいる（図３の項番７）。次に、ナビゲーション装置２の制御部１０は、受信した登録地データを登録地データメモリ１１１に記憶する（図１０のステップＳ２０２）。次に、受信した登録地データの電話番号登録済みビット（図５の項番３）に基づいて当該登録地データに電話番号が含まれるか否かを判定し（図１０のステップＳ２０３）、電話番号が含まれる場合は、登録地データから電話帳データを生成し（図１０のステップＳ２０４、図６）、電話帳メモリ１１０に記憶する（図１０のステップＳ２０５）。これにより、サーバ装置からダウンロードした地点情報の中に電話番号が含まれていたとき、その電話番号を電話帳メモリにも反映させられる。
【００６６】
（２）本実施形態の電話帳システムは、電話帳メモリ７を備える携帯端末４を含んでおり、ナビゲーション装置２の制御部１０がデータ通信部１５を介して登録地データから生成した電話帳データを携帯端末４に転送する（図１１のステップＳ２６１、ステップＳ３６１）。そして、携帯端末４は、受信した電話帳データを携帯端末の電話帳メモリ７に記憶する（図１１のステップＳ３６２）。これにより、登録地データに含まれる電話番号を携帯端末４にも反映させることができる。
【００６７】
（３）本実施形態の電話帳システムは、図７に示すように登録地データから生成した電話帳データと、それ以外のものとで表示態様を変更して表示する。これにより、ユーザが興味を持ちダウンロードした登録地が容易に判別できる。
【００６８】
（４）本実施形態の電話帳システムは、図８および図９に示すように、電話帳ボタン７２やダウンロード登録地点ボタン７３を選択することにより、登録地データから生成した電話帳データだけを表示することや、登録地データから生成した電話帳データ以外のものを表示することができる。これにより、ユーザはダウンロードした登録地か否かを容易に判別できる。
【００６９】
（５）本実施形態の電話帳システムは、ナビゲーション装置２の制御部１０は、図７〜図９に示す画面を表示モニタ１２に表示し、入力装置１６を介して電話の発信先を選択し（図１２のステップＳ４０１）、選択された発信先に電話を発信する（図１２のステップＳ４０２〜Ｓ４０３）。そして、発信先の電話番号に対応する電話帳データが登録地データから生成されたものであるか否かを判定し（図１２のステップＳ４０４）、登録地データから生成されたものであった場合には発信先を目的地に設定でき（図１２のステップＳ４０６）、経路探索を行うことができる。これにより、ユーザが電話した施設などにすぐに向かいたいと思ったときにすぐに目的地に設定することができる。
【００７０】
以上で説明した実施形態は、以下のように変形して実施できる。
【００７１】
（１）以上で説明した実施形態では、ナビゲーション装置２が電話の発着信を実行するとき、携帯端末４を介することとしたが、ナビゲーション装置２だけで電話の発着信を実行できるものとしてもよい。
【００７２】
（２）以上で説明した実施形態では、通信回線網５を介して登録地データをダウンロードするものとしたが、登録地データを取得する方法はその内容に限定しない。たとえばＳＤメモリーカード（登録商標）等の外部記憶端末に登録地を記憶させ、ナビゲーション装置２へ挿入し読み込ませてもよい。
【００７３】
（３）以上で説明した実施形態は、登録地に含まれる電話番号を電話帳メモリに反映させる処理について説明した。しかし、同様の手法を、メールアドレスを電話帳に登録することや、ＵＲＬをブックマークに登録することなどにも適用してもよい。
【００７４】
（４）図１２のステップＳ４０５では、電話の発信先を目的地として設定するか否かをユーザに選択させた。しかし、ステップＳ４０５の代わりにステップＳ４０１においてユーザが発信先を選択したときに、電話を発信するか目的地として設定するかを選択させてもよい。
【００７５】
（５）以上で説明した実施形態では、登録地データに基づいた電話帳データを電話帳メモリ１１０に記憶することを説明した。登録地データに基づいた電話帳データは、記憶してから所定の日時が経過したら削除することとしてもよい。記憶してから経過した日時は、図５の項番５の転送日時などに基づいて算出すればよい。所定の日時は、たとえば１年とすればよい。
【００７６】
以上で説明した各実施の形態や各種の変形例はあくまで一例であり、発明の特徴が損なわれない限り、本発明はこれらの内容に限定されない。
【符号の説明】
【００７７】
１  電話帳システム
２  ナビゲーション装置
３  サーバ装置
４  携帯端末
５  通信回線網
６  登録地データベース
７  電話帳メモリ  （携帯端末４内）
１０  制御部
１１  記憶部
１２  表示モニタ
１３  ジャイロセンサ
１４  ＧＰＳ受信部
１５  データ通信部
１６  入力装置
１７  スピーカ
１１０  電話帳メモリ  （ナビゲーション装置２内）
１１１  登録地メモリ
【図１】
2011228948.tif 000003
【図２】
2011228948.tif 000004
【図３】
2011228948.tif 000005
【図４】
2011228948.tif 000006
【図５】
2011228948.tif 000007
【図６】
2011228948.tif 000008
【図７】
2011228948.tif 000009
【図８】
2011228948.tif 000010
【図９】
2011228948.tif 000011
【図１０】
2011228948.tif 000012
【図１１】
2011228948.tif 000013
【図１２】
2011228948.tif 000014
【図１３】
2011228948.tif 000015